(57)【要約】【課題】無線ＬＡＮ機器の設置位置を決定することを容易にする通信機器、通信システム、設置手法を提供すること。【解決手段】デジタル通信端末４１０が通信品質判定指示部４１１と通信品質判定部４１２と通信品質情報提示部２１３と音声発生部２１４とスピーカ２１５を備え、ホームルータ４２０が通信品質判定部４２１とテストコンテンツ送信部４２２を備え、コンテンツサーバ１３０がテストコンテンツ送信部２４１を備え、ホームルータ４２０とコンテンツサーバ１３０間の宅外回線速度を測定し、所望の伝送速度と比較し、測定値が下回っているときにはホームルータ４２０までの伝送速度を測定し、この測定値と所望値の比較によりスピーカからの音を入切することで、宅外のネットワークに障害が発生した場合でも無線ＬＡＮ機器の設置位置を容易に決定できるようにする。【選択図】図４
2009141467.tif 000002
【特許請求の範囲】
【請求項１】
通信路を通じて接続された機器に対してテストコンテンツ送信の要求を行い、前記機器から受信したテストコンテンツの単位時間当たりの受信データ量を測定し、単位時間当たりの受信データ量と予め設定された所望の閾値を比較して通信品質が良好か否かを判定する通信品質判定部と、
前記通信品質判定部の判定結果に応じて音声発生信号を出力する通信品質情報提示部と、
を備えたデジタル通信端末。
【請求項２】
通信路を通じて接続された機器であるホームルータに対して、前記ホームルータと外部のネットワークで接続されたコンテンツサーバ間の通信品質の判定を要求する通信品質判定指示部を更に備え、
前記通信品質判定指示部は、前記ホームルータから受信した通信品質の判定結果を外部のネットワークの通信品質である第１の通信品質として前記通信品質判定部に伝えるものであり、
前記通信品質判定部は、前記ホームルータに対してテストコンテンツ送信の要求を行い、受信したテストコンテンツの単位時間当たりの受信データ量を測定し、単位時間当たりの受信データ量と予め設定された所望の閾値を比較して当該デジタル通信端末と前記ホームルータとの通信品質を第２の通信品質として判定し、前記第１の通信品質と前記第２の通信品質に応じて、通信品質が良好か否かを判定する
請求項１に記載のデジタル通信端末。
【請求項３】
前記第１の通信品質が良の場合と前記第２の通信品質が良の場合で、前記通信品質情報提示部が出力する音声発生信号が異なる請求項２に記載のデジタル通信端末。
【請求項４】
通信路を通じて接続された第１の機器から、通信路を通じて接続された第２の機器との通信品質の判定を行う要求を受信し、それに従い前記第２の機器に対してテストコンテンツ送信の要求を行い、前記第２の機器から受信したテストコンテンツの単位時間当たりの受信データ量を測定し、単位時間当たりの受信データ量と予め設定された所望の閾値を比較して通信品質が良好か否かを判定し、判定結果を前記第１の機器に送信する通信機器。
【請求項５】
前記通信機器は、ホームルータである請求項４に記載の通信機器。
【請求項６】
通信路を通じて接続された機器からテストコンテンツ送信の要求を受信し、予めストレージに保存してあったテスト用コンテンツ、もしくは自動的に生成したテスト用コンテンツを、通信路を通して要求を受けた機器に対して送信するテストコンテンツ送信部を備えた通信機器。
【請求項７】
前記通信機器は、ホームルータまたはコンテンツサーバである請求項６に記載の通信機器。
【請求項８】
デジタル通信端末がネットワークで接続されたコンテンツサーバからデータを受信する通信システムにおける通信品質の判定方法であって、
前記デジタル通信端末から前記コンテンツサーバに対してテストコンテンツの送信要求を行うステップと、
前記テストコンテンツの送信要求に従い前記コンテンツサーバから前記テストコンテンツの送信を行うステップと、
前記デジタル通信端末が受信する前記テストコンテンツの単位時間当たりの受信データ量を測定し、前記受信データ量と予め設定された所望の単位時間当たりの受信データ量を比較するステップと、
前記比較した結果により通信品質の良否を判断し通信品質の良否により音声信号の出力の有無を切り替えるステップとを備えた、
通信品質の判定方法。
【請求項９】
デジタル通信端末が接続された機器であるホームルータを経由してネットワークで接続されたコンテンツサーバからデータを受信する通信システムにおける通信品質の判定方法であって、
前記デジタル通信端末が通信品質判定の指示を行うステップと、
それに応じて前記ホームルータが前記テストコンテンツの送信の要求を前記コンテンツサーバに行うステップと、
それにしたがって前記コンテンツサーバが前記テストコンテンツの送信を行うステップと、
前記ホームルータが受信した前記テストコンテンツの受信速度を測定するステップと、
その値と予め設定された所望の伝送速度を比較するステップと、
前記比較した結果により通信品質の良否を判断し通信品質の良否により音声信号の出力の有無を切り替えるステップと、
所望の伝送速度が受信速度を超えたときは前記デジタル通信端末が前記テストコンテンツの送信の要求を行うステップと、
それにしたがって前記ホームルータが前記デジタル通信端末に対し前記テストコンテンツの送信を行うステップと、
前記デジタル通信端末が前記ホームルータから受信した前記テストコンテンツの受信速度を測定するステップと、
その値と予め設定された所望の伝送速度を比較するステップと、
前記比較した結果により通信品質の良否を判断し通信品質の良否により音声信号の出力の有無を切り替えるステップとを備えた、
通信品質の判定方法。
【発明の詳細な説明】
【技術分野】
【０００１】
本発明は、ネットワークを介して映像や音声を送受信する通信システムに関するものである。
【背景技術】
【０００２】
通信システムのなかで一般に利用されている無線ＬＡＮ機器において、その設置位置は通信品質に直結する。設置位置が悪い場合は、映像配信などのリアルタイム性が要求される通信サービスにおいて品質低下を引き起こす可能性がある。従来このような問題に対処する装置および方法として、特許文献１に記載されているようなアンテナの角度を調整する角度調整装置があった。図６は特許文献１に記載された従来のアンテナの角度調整装置である。この従来技術による装置では、指向性アンテナ６０１と、アンテナにより得られた電界強度を検出する検出部６０２と、検出された電界強度に対応する周波数の音声信号に変換する変換部６０３と、変換された音声信号を音声に変換するスピーカ６０４と、アンテナの水平方向の角度を調整する調整部６０５を含み、スピーカからの音声の音程が最も高く、もしくは低くなるように調整部を操作しながらアンテナの水平方向の角度を調整していた。
【特許文献１】特開２００５−１０２０１３号公報
【発明の開示】
【発明が解決しようとする課題】
【０００３】
しかしながらこのような従来の装置の仕組みを無線ＬＡＮ機器の設置位置の調整に適用した場合、電界強度に応じて音の高さをリニアに変えるため、相対的な最適位置を探すことはできるが、実際にどの程度の伝送速度が得られるかは、音を聞いただけではわからないという課題を有していた。また設置位置の調整は角度調整と異なり、最適位置に置ける場所がない、見栄えが悪い、配線ができない、などの理由で簡単に設置できるとは限らず、最適位置ではないが、最適位置に近い品質が得られる位置で妥協したいとすることもありうる。従来の装置ではこのようなときに、妥協した設置位置でユーザの求める通信品質を得られるのかを判別するのは難しいという課題を有していた。
【０００４】
本発明は、上述の課題を解決するもので、限られた設置位置の自由度の中でユーザの求める通信品質を達成できる設置位置を決定することを可能とした通信システムを提供することを目的とする。
【課題を解決するための手段】
【０００５】
上述の課題を解決するために、本発明のデジタル通信端末は、ＩＰ（Ｉｎｔｅｒｎｅｔ  Ｐｒｏｔｏｃｏｌ）にて接続された機器へテストストリームの転送を要求し、テストストリームの受信状況から伝送速度を測定する受信速度測定部と、測定した値と予め設定した所望の伝送速度とを比較し、その結果により音声出力を行うか行わないかを制御する速度判定部と、前記速度判定部の制御によって音声信号の出力を入切する音声発生部と実際に音声を出力するスピーカを備え、伝送速度の測定結果により音声出力を制御することを特徴とするものである。
【０００６】
本構成によって、現在の設置位置、角度等においてデジタル端末が受けることができる最大受信伝送速度が予め設定した所望の伝送速度を超えているかいないかを判断して、音声の出力を制御することにより、無線ＬＡＮ機器の設置位置決定を簡単にすることができる。
【０００７】
前述の予め設定した所望の伝送速度の決定手段を以下に示す。
【０００８】
第１の手段は、ユーザがよく視聴する、もしくは視聴したいコンテンツのビットレートを把握し、自らその値を通信端末に設定する方法である。この方法は、自ら好きな値を設定できる点で自由度は高いが、予め視聴コンテンツの予測を行わなければならず、初心者には難しい設定方法である。
【０００９】
第２の手段は、一般的なコンテンツ配信サービスで使用されるビットレート値を予め通信端末にプリセットしておく方法である。この手段は、ユーザが値を設定しないという点で第１の手段と対照的に、自由度は低いが、初心者でも実施できる方法である。ただ、設定されたビットレートを超えるコンテンツを配信するサービスへの伝送速度保証はできず、実際に利用しようとしたときに正しくコンテンツを利用できない可能性がある。
【００１０】
第３の手段は、コンテンツ配信ページに設定用ファイルを用意し、そのファイル内の値を使用して閾値を自動設定する方法である。この手段はサービス提供者が値を用意できるので、そのサービスに適した値を設定することが可能である。また、ユーザの操作も第２の手段ほどではないが比較的簡単に済ますことができる。
【００１１】
第４の手段は、過去の利用コンテンツのビットレートの統計から最頻値、もしくは最大値を特定し、自動設定する方法である。この手段は予め有線接続等でコンテンツの利用をしていなければならないという欠点はあるが、最もユーザの利用実態に合わせることができ、かつユーザの操作を伴わないことが利点である。
【００１２】
第５の手段は、直前に利用したコンテンツのビットレートを自動設定する方法である。この手段は、予めのコンテンツ利用は１回で済み、かつコンテンツのビットレートといったわかりにくい指標をユーザに確認させる必要がないことが利点である。ただし、直前のコンテンツしか参照しないため、それ以外のコンテンツには対応しないのが欠点である。
【００１３】
また、本発明の通信システムは、前述のデジタル通信端末にさらに他の機器への回線速度測定の指示を行う、回線速度測定指示部を備え、ホームルータはテストコンテンツ送信要求を受けてストレージに保存された、もしくは自動的に生成したテストコンテンツを送信するテストコンテンツ送信部と、ＩＰ（Ｉｎｔｅｒｎｅｔ  Ｐｒｏｔｏｃｏｌ）にて接続された機器へテストストリームの転送を要求し、テストストリームの受信状況から伝送速度を測定する受信速度測定部を備え、デジタル通信端末において伝送速度の測定結果により音声出力を制御することを特徴とするものである。
【００１４】
本構成によって、ネットワークに一次的な障害が発生していてコンテンツサーバからのコンテンツ伝送速度が所望の伝送速度を超えないときでも、現在の設置位置、角度等においてデジタル端末が受けることができる宅内ネットワークの最大受信伝送速度が予め設定した所望の伝送速度を超えているかいないかを判断して、音声の出力を制御することにより、無線ＬＡＮ機器の設置位置決定を簡単にすることができる。
【発明の効果】
【００１５】
本発明の受信システムによれば、音声の出力の有無により、ユーザが求める伝送速度が得られるかどうかが別の部屋からなど、画面を見られない位置からでも判断できる。これにより、リアルタイム性を要するコンテンツ配信サービスに必要な伝送速度を得られる無線ＬＡＮ機器の設置位置を広く特定でき、自由度の高い設置性とサービス品質を両立することを可能にする。
【発明を実施するための最良の形態】
【００１６】
以下、本発明の実施の形態について図面を用いて説明する。
（実施の形態１）
図１は、本発明の実施の形態に係る通信システムを説明した構成図である。
図１において、コンテンツサーバ１３０はリアルタイム通信を要する通信サービスを提供する機器であり、ネットワーク１２０に接続されるものである。通信サービスとしては映像配信などが想定されるが、これに限定されるものではなく、音声配信などでも良い。また、通信速度測定用にテスト用コンテンツをストレージに保存しており、そのテスト用コンテンツを伝送する機能を持つ。なお、コンテンツサーバ１３０はテスト用コンテンツをストレージに保存しているとしたが、テスト用ビット列を自動生成する機能を持つこととしてもよい。
【００１７】
ネットワーク１２０は、マルチメディアデータを転送できる機能を持つ。ネットワークとしては、インターネットや事業者が管理するＣＤＮ（Ｃｏｎｔｅｎｔｓ  Ｄｅｌｉｖｅｒｙ  Ｎｅｔｗｏｒｋ）などが想定されるが、これに限定されるものではない。
【００１８】
ホームルータ１１４は、宅内ネットワーク１１０と外部ネットワークの接続点付近に設置される機器である。家庭内端末の管理や家庭内から外部への同時アクセスの管理等の機能を持つ。
【００１９】
無線ＬＡＮアクセスポイント（親機）１１３は、有線のネットワークと無線ＬＡＮの変換を行う機器である。この無線ＬＡＮアクセスポイント１１３、もしくは無線ＬＡＮアクセスポイント１１３に接続されるアンテナ（図示せず）の設置位置は、無線区間の伝送品質を大きく左右する。
【００２０】
なお、無線ＬＡＮアクセスポイント１１３はホームルータ１１４と別のものとして設けたが、ホームルータ１１４に内蔵されていてもよい。
【００２１】
無線ＬＡＮクライアント（子機）１１２は、無線ＬＡＮと有線のネットワークの変換を行う機器である。
【００２２】
デジタル通信端末１１１は、無線ＬＡＮクライアント１１２を経由してネットワーク１２０に接続してコンテンツサーバ１３０との通信を可能とし、映像配信などの各種サービスを受けることができる機器である。なおデジタル通信端末１１１のネットワークへの接続手段としては、無線ＬＡＮクライアント１１２をデジタル通信端末１１１の本体内に内蔵することもできるし、有線ケーブルで接続することもできる。デジタル通信端末１１１としては、ＰＣやＴＶ、ＤＶＤレコーダなどのネットワーク対応家電製品が考えられるが、これに限定されるものではない。
【００２３】
以下に、本実施の形態において無線ＬＡＮアクセスポイント１１３、もしくは無線ＬＡＮクライアント１１２を設置する際の各機器の動作を、図２のブロック図と図３に示すフローチャートを用いて説明する。
【００２４】
まず、コンテンツサーバ１３０とデジタル通信端末１１１間の回線品質を判定する。ユーザがリモコン操作によって、テスト通信要求をデジタル通信端末１１１に対して送信する。テスト通信要求とは、例えばデジタル通信端末１１１であるＴＶ内のメニュー項目からテストのスタート項目を選択する操作に該当する。ステップ３０１にてテスト通信要求をリモコン受光部（図示せず）を介して受信したデジタル通信端末１１１の通信品質判定部２１２は、ネットワーク１２０経由でコンテンツサーバ１３０のテストコンテンツ送信部２４１に対して、テストコンテンツ送信要求を送信する。ステップ３０２にてテストコンテンツ送信要求を受信したテストコンテンツ送信部２４１は、要求に従ってストレージ２４２に保存されているテストコンテンツを、ネットワーク１２０を介してデジタル通信端末１１１に対して送信する。ステップ３０３にてテストコンテンツを受信したデジタル通信端末１１１の通信品質判定部２１２は、その単位時間当たりの受信データ量を測定し、コンテンツ伝送速度を測定する。さらに通信品質判定部２１２は、予めユーザによって設定された所望の伝送速度と測定したコンテンツ伝送速度を比較し、所望の伝送速度をコンテンツ伝送速度が超えている場合は通信品質が良いと判定し、所望の伝送速度をコンテンツ伝送速度が超えていない場合は通信品質が悪いと判定する。
【００２５】
次に、通信品質判定部２１２はその結果を通信品質情報提示部２１３に伝える。ステップ３０４にて通信品質情報提示部２１３は通信品質が良いときのみ音声発生部２１４に音声発生要求を送る。ステップ３０５にて音声発生部２１４は、音声発生要求を受けるとそれに従い備えたスピーカ２１５から所定の任意の音を発生させる。
【００２６】
以上のように本実施の形態においては、ユーザによって設定された所望の通信品質を確保することの出来る無線ＬＡＮ機器の配置位置を簡単な方法で知ることが可能である。
【００２７】
（実施の形態２）
実施の形態１においては、ホームルータ１１４とコンテンツサーバ１３０との間の外部回線やネットワーク１２０において一時的な障害等が発生し、測定時に所望の伝送速度が得られない場合、無線ＬＡＮ機器の設置位置を決定するための音声を発生させることはできない。したがって、そのような場合には設置位置の決定を行えないという課題がある。それに対して実施の形態２では、以下のような手法によりこの課題を解決する。
本実施の形態に係る通信システムの全体構成については、実施の形態１で説明した図１と同様であるので説明を省略する。
【００２８】
以下に、本実施の形態において無線ＬＡＮアクセスポイント１１３、もしくは無線ＬＡＮクライアント１１２を設置する際の各機器の動作を、図４に示す構成図と図５に示すフローチャートを用いて説明する。
【００２９】
図４において、デジタル通信端末４１０、ホームルータ４２０は、図１に示した通信システムの構成図におけるデジタル通信端末１１１およびホームルータ１１４に相当するものであり、一部その内部構成が異なる構成となっている。
【００３０】
初めに、コンテンツサーバ１３０とホームルータ４２０間の回線速度を測定する。まずユーザがリモコン操作によって、テスト通信要求をデジタル通信端末４１０に対して送信する。テスト通信要求とは、例えばＴＶ内のメニュー項目からテストのスタート項目を選択する操作に該当する。ステップ５０１にてテスト通信要求を、リモコン受光部（図示せず）を介して受信したデジタル通信端末４１０の通信品質判定指示部４１１は、まずホームルータ４２０に対して通信品質判定要求を送信する。次に、ステップ５０２にてホームルータ４２０の通信品質判定部４２１はネットワーク１２０経由でコンテンツサーバ１３０のテストコンテンツ送信部２４１に対して、テストコンテンツ送信要求を送信する。ステップ５０３にてテストコンテンツ送信要求を受信したテストコンテンツ送信部２４１は、要求に従ってストレージ２４２に保存されているテストコンテンツを、ネットワーク１２０を介してデジタル通信端末４１０が存在するホームネットワークのホームルータ４２０に対して送信する。ステップ５０４にてテストコンテンツを受信したホームルータ４２０の通信品質判定部４２１は、その単位時間当たりの受信データ量を測定する。さらに予めユーザによって設定された所望の伝送速度と測定したコンテンツ伝送速度を比較し、所望の伝送速度をコンテンツ伝送速度が超えている場合は通信品質が良いと判定し、所望の伝送速度をコンテンツ伝送速度が超えていない場合は通信品質が悪いと判定する。
【００３１】
次にステップ５０５にてその結果を宅外ネットワークの通信品質としてデジタル通信端末４１０の通信品質判定指示部４１１に伝える。
【００３２】
通信品質が良い場合、通信品質判定部４１１は、その結果を宅外ネットワークの通信品質が良いと通信品質判定部４１２に伝える。通信品質判定部４１２は、以降実施の形態１と同様の手順によりスピーカ２１５から所定の任意の音を発生させる。
【００３３】
通信品質が悪い場合、ホームルータ４２０とデジタル通信端末４１０間の宅内通信品質を測定する。ステップ５０９にてデジタル通信端末４１０の通信品質判定部４１２はホームルータ４２０のテストコンテンツ送信部４２２に対して、テストコンテンツ送信要求を送信する。ステップ５１０にてテストコンテンツ送信要求を受信したテストコンテンツ送信部４２２は、要求に従って自動生成するテストコンテンツを、通信端末４１０に対して送信する。ステップ５１１にてテストコンテンツを受信したデジタル通信端末４１０の通信品質判定部４１２は、その単位時間当たりの受信データ量を測定する。さらに予めユーザによって設定された所望の伝送速度と測定したコンテンツ伝送速度を比較し、所望の伝送速度をコンテンツ伝送速度が超えている場合は通信品質が良いと判定し、所望の伝送速度をコンテンツ伝送速度が超えていない場合は通信品質が悪いと判定する。
【００３４】
次に通信品質判定部４１２はその結果を宅内ネットワークの通信品質として通信品質情報提示部２１３に伝える。ステップ５１２にて通信品質情報提示部２１３は通信品質が良いときのみ音声発生部２１４に音声発生要求を送る。ステップ５１３にて音声発生部２１４は、音声発生要求を受けるとそれに従い備えたスピーカ２１５から所定の任意の音を発生させる。
【００３５】
以上説明した構成によれば、ネットワーク１２０の品質が良好で要求するコンテンツ伝送速度を得られる際には、スピーカ２１５から音が発生する。それを聞くことでユーザは現在の位置に無線ＬＡＮアクセスポイント１１３、もしくは無線ＬＡＮクライアント１１２がある場合には求めるサービスを受けることができると認識できる。
【００３６】
また、ネットワーク１２０の回線速度が不良でも宅内伝送速度が要求するコンテンツ伝送速度を得られる際にはスピーカ２１５から音が発生する。これにより、一時的な回線不良（ネットワーク１２０の混雑や故障等）の際にも設置位置を決定する作業を先送りせず実施できる。ただしこの場合には、ネットワーク１２０の品質が不良である可能性があるため、回線が復旧した際にエンドツーエンドで求める通信品質を得られることは保証できない。逆に音が鳴らないときには、設置位置の再検討が必要であることを認識できる。
【００３７】
なお、上述の説明においては、宅外ネットワークの通信品質が良い場合と宅内ネットワークの通信品質が良い場合の音の違いについては特に言及していないが、例えば、宅外ネットワークの通信品質が良い場合には高音、宅内ネットワークの通信品質が良い場合には低音等と指定しておくことにより、宅内ネットワークと宅外ネットワークのどちらの通信品質が良いかが区別できるという効果が生じる。
【００３８】
なお、前述の予め設定した所望の伝送速度の決定手段を以下に示す。
【００３９】
第１の手段は、ユーザがよく視聴する、もしくは視聴したいコンテンツのビットレートを把握し、自らその値を通信端末に設定する方法である。この方法は、自ら好きな値を設定できる点で自由度は高いが、予め視聴コンテンツの予測を行わなければならず、初心者には難しい設定方法である。
【００４０】
第２の手段は、一般的なコンテンツ配信サービスで使用されるビットレート値を予め通信端末にプリセットしておく方法である。この手段は、ユーザが値を設定しないという点で第１の手段と対照的に、自由度は低いが、初心者でも実施できる方法である。ただ、設定されたビットレートを超えるコンテンツを配信するサービスへの伝送速度保証はできず、実際に利用しようとしたときに正しくコンテンツを利用できない可能性がある。
【００４１】
第３の手段は、コンテンツ配信ページに設定用ファイルを用意し、そのファイル内の値を使用して閾値を自動設定する方法である。この手段はサービス提供者が値を用意できるので、そのサービスに適した値を設定することが可能である。また、ユーザの操作も第２の手段ほどではないが比較的簡単に済ますことができる。
【００４２】
第４の手段は、過去の利用コンテンツのビットレートの統計から最頻値、もしくは最大値を特定し、自動設定する方法である。この手段は予め有線接続等でコンテンツの利用をしていなければならないという欠点はあるが、最もユーザの利用実態に合わせることができ、かつユーザの操作を伴わないことが利点である。
【００４３】
第５の手段は、直前に利用したコンテンツのビットレートを自動設定する方法である。この手段は、予めのコンテンツ利用は１回で済み、かつコンテンツのビットレートといったわかりにくい指標をユーザに確認させる必要がないことが利点である。ただし、直前のコンテンツしか参照しないため、それ以外のコンテンツには対応しないのが欠点である。
【産業上の利用可能性】
【００４４】
本発明にかかる通信システムは、求める通信品質のサービスレベルが得られる無線ＬＡＮ機器の設置位置を容易に見つけることが可能になるので、ネットワークを介して映像や音声を送受信するシステムとして有用である。
【図面の簡単な説明】
【００４５】
【図１】本発明の通信システムで想定される各通信機器の接続図
【図２】本発明の実施の形態１における各通信機器内のブロック図
【図３】本発明の実施の形態１における処理アルゴリズムのフローチャート
【図４】本発明の実施の形態２における各通信機器内のブロック図
【図５】本発明の実施の形態２における処理アルゴリズムのフローチャート
【図６】従来のアンテナの角度調整装置のブロック図
【符号の説明】
【００４６】
１１０    宅内ネットワーク
１１１    デジタル通信端末
１１２    無線ＬＡＮクライアント
１１３    無線ＬＡＮアクセスポイント
１１４    ホームルータ
１２０    ネットワーク
１３０    コンテンツサーバ  
２１２    通信品質判定部
２１３    通信品質情報提示部
２１４    音声発生部
２１５    スピーカ
２４１    テストコンテンツ送信部
２４２    ストレージ
４１０    デジタル通信端末
４１１    通信品質判定指示部
４１２    通信品質判定部
４２０    ホームルータ
４２１    通信品質判定部
４２２    テストコンテンツ送信部
６０１    指向性アンテナ
６０２    検出部
６０３    変換部
６０４    スピーカ
６０５    調整部
【図２】
2009141467.tif 000003
【図３】
2009141467.tif 000004
【図４】
2009141467.tif 000005
【図５】
2009141467.tif 000006
【図６】
2009141467.tif 000007
【図１】
2009141467.tif 000008